(57)【要約】【課題】ケーブルラック内への雨水やゴミ等の侵入を確実に防止することができるケーブルラック用カバーを提供する。【解決手段】内部にケーブル１が通線支持されるケーブルラック２の上面開口に、このケーブルラック２の長手方向に複数並べられ相互に近接されるよう装着されて、同上面開口を塞ぐケーブルラック用カバーＡにおいて、ケーブルラック２の上面開口に装着されるカバー本体３の相互に長手方向で対向近接される端縁４付近で、このカバー本体３の平坦な上面３ａに同端縁４に沿って巾方向略全長にわたるせき止め凸条５を一体に突設し、このせき止め凸条５を同カバー本体３の両端縁４付近に配設した。【選択図】          図１
2004173344.tif 000002
【特許請求の範囲】
【請求項１】
内部にケーブルが通線支持されるケーブルラックの上面開口に、このケーブルラックの長手方向に複数並べられ相互に近接されるよう装着されて、同上面開口を塞ぐケーブルラック用カバーであり、ケーブルラックの上面開口に装着されるカバー本体の相互に長手方向で対向近接される端縁付近で、このカバー本体の平坦な上面に同端縁に沿って巾方向略全長にわたるせき止め凸条を一体に突設し、このせき止め凸条を同カバー本体の両端縁付近に配設してなるケーブルラック用カバー。
【請求項２】
カバー本体を下方へ開口した偏平溝型に形成して、ケーブルラックの上部外側に被され装着されるようになしたことを特徴とする請求項１記載のケーブルラック用カバー。
【請求項３】
せき止め凸条の端縁とは反対側の側面をカバー本体の上面から略直角に立ち上がるよう形成したことを特徴とする請求項１又は２記載のケーブルラック用カバー。
【請求項４】
カバー本体の上板部を上方へ略逆Ｕ字状に屈曲させてせき止め凸条を突設したことを特徴とする請求項１〜３のいずれか一つに記載のケーブルラック用カバー。
【請求項５】
金属板で形成されるカバー本体の上板部にプレス加工を施してせき止め凸条を形成したことを特徴とする請求項４記載のケーブルラック用カバー。
【発明の詳細な説明】
【０００１】
【発明の属する技術分野】
本発明は、内部にケーブルが通線支持されるケーブルラックの上面開口に装着されて、この上面開口を塞ぐケーブルラック用カバーに関するものである。
【０００２】
【従来の技術】
一般に、ケーブルラックは梯子形状や偏平溝型等に形成されて上面が開口しており、その内部には長手方向に沿ってケーブルが載置配線される。そして、ケーブルラックの内部に雨水やゴミ等が侵入しないようにするため、必要に応じて同ケーブルラックの上面開口にはカバーが装着される。このカバーがケーブルラック用カバーと称され本発明の対象となるもので、この種のケーブルラック用カバーは従来から知られている。
【０００３】
例えば、図１５に示す如く、内部に複数本のケーブル１が通線支持されるケーブルラック２の上面開口に装着されて、この上面開口を塞ぐケーブルラック用カバーＧは知られている（実公平１−１２４９３号公報参照）。このケーブルラック用カバーＧでは、カバー本体３が下方へ開口した偏平溝型に形成されて、ケーブルラック２の上部外側に被され装着される。この場合、ケーブルラック２は梯子形状に形成されて、両側の桁部材８の下縁付近間に複数の桟部材９が架設固定されてなり、上面に開口したものとなる。ケーブルラック２の内部で通線支持される複数本のケーブル１は、複数の桟部材９上に掛け渡して載置（所謂、ころがし配線）される。
【０００４】
又、このケーブルラック用カバーＧでは、カバー本体３が上板部６とその両側で一体に垂下する側板部７とでなり、同カバー本体３の上面３ａとなる上板部６の表面は平坦である。そして、ケーブルラック２の上面開口に装着されるケーブルラック用カバーＧは、クランプ材１２とＬ型ボルト材１３及びナット１４とで同ケーブルラック２に取付固定される。その際、クランプ材１２をカバー本体３の上面３ａに当接架設すると共に桁部材８の下側にＬ型ボルト材１３のＬ字状に屈曲した下端部分を係合させ、このＬ型ボルト材１３の上端部分を同クランプ材１２の両端部分に挿通させて、同Ｌ型ボルト材１３の上端部分にナット１４を螺合させ、このナット１４を締め付けることにより、同クランプ材１２が同カバー本体３の上面３ａに当接圧止され、ケーブルラック用カバーＧはケーブルラック２に取付固定される。
【０００５】
そして、このケーブルラック用カバーＧは、ケーブルラック２の上面開口にその長手方向に複数並べられ相互に近接されるよう装着される。したがって、この場合、複数並設されるケーブルラック用カバーＧによって、ケーブルラック２の上面開口は長手方向にわたって塞がれ、このケーブルラック２内への雨水やゴミ等の侵入を防止することができる。
【０００６】
【特許文献１】
実公平１−１２４９３号公報
【０００７】
【発明が解決しようとする課題】
しかしながら、上記従来の技術にあっては、図１６に示す如く、ケーブルラック２に装着されるカバー本体３の相互に近接される両端縁４間に隙間を生じ、この隙間から雨水Ｗが流下して同ケーブルラック２内に侵入してしまうという問題があった。この場合、カバー本体３の上面３ａが平坦で、その上に降った雨水Ｗは前記両カバー本体３の端縁４間の隙間に流入し易いものであり、同雨水Ｗと共にゴミまでもがケーブルラック２内に侵入してしまう。又、この問題は、上記図１５に示す取付固定状態ではそれ程大きな問題とならないが、図１７に示す取付固定状態では大きな問題となる。
【０００８】
すなわち、図１５の取付固定状態では、クランプ材１２をカバー本体３の端縁４付近でその上面３ａに当接圧止することにより、このクランプ材１２で同上面３ａを端縁４へと向かって流れる雨水Ｗがある程度はせき止められ、これによって、ケーブルラック２内への雨水やゴミ等の侵入が一応防止されることになる。ただ、クランプ材１２とカバー本体３の上面３ａとの間に隙間が存在すれば、この隙間を通じて雨水Ｗは同上面３ａを端縁４へと向かって流れ、ゴミと共にケーブルラック２内に侵入してしまう。又、クランプ材１２をカバー本体３の端縁４付近に位置決め配置しなければならず、取付固定作業が手間取るものとなってしまう。
【０００９】
他方、図１７の取付固定状態では、ケーブルラック２の両側において、クリップ材１５で同ケーブルラック２とケーブルラック用カバーＧとを挟持するものであり、このケーブルラック用カバーＧのカバー本体３の上面３ａには雨水Ｗをせき止める部材が存在せず、平坦な同上面３ａを雨水Ｗは端縁４へと向かって流れ、前記両カバー本体３の端縁４間の隙間に流入し易いものである。この場合、ケーブルラック用カバーＧの取付固定作業は簡単となるが、ケーブルラック２内への雨水やゴミ等の侵入は大きな問題となってしまう。
【００１０】
本発明は、上記従来の技術における問題を悉く解決するために発明されたもので、その課題は、ケーブルラック内への雨水やゴミ等の侵入を確実に防止することができるケーブルラック用カバーを提供することである。
【００１１】
【課題を解決するための手段】
本発明の請求項１記載のケーブルラック用カバーは、内部にケーブルが通線支持されるケーブルラックの上面開口に、このケーブルラックの長手方向に複数並べられ相互に近接されるよう装着されて、同上面開口を塞ぐケーブルラック用カバーであり、ケーブルラックの上面開口に装着されるカバー本体の相互に長手方向で対向近接される端縁付近で、このカバー本体の平坦な上面に同端縁に沿って巾方向略全長にわたるせき止め凸条を一体に突設し、このせき止め凸条を同カバー本体の両端縁付近に配設してなる。
【００１２】
したがって、この場合、カバー本体の相互に長手方向で対向近接される端縁付近で、このカバー本体の平坦な上面に同端縁に沿って巾方向略全長にわたるせき止め凸条が一体に突設され、このせき止め凸条は同カバー本体の両端縁付近に配設されているので、両せき止め凸条によって、同上面を両端縁へと向かって流れる雨水はせき止められ、この上面から両側へと流下排水除去されて、同近接される端縁間に生じた隙間に至らず、ケーブルラック内への同雨水やゴミ等の侵入を確実に防止することができる。
【００１３】
本発明の請求項２記載のケーブルラック用カバーは、上記請求項１記載のケーブルラック用カバーにおいて、カバー本体を下方へ開口した偏平溝型に形成して、ケーブルラックの上部外側に被され装着されるようになしたことを特徴としている。
【００１４】
したがって、この場合は特に、偏平溝型に形成されたカバー本体がケーブルラックの上部外側に被され装着されるので、両せき止め凸条でせき止めされた雨水は同カバー本体の上面を両側へと流れ、その両側の側板部の外側面を伝って同ケーブルラックの外側へとスムーズに流下排水除去され、このケーブルラック内への同雨水やゴミ等の侵入がより確実に防止される。しかも、偏平溝型に形成されたカバー本体は、その両側板部による補強リブ作用によって、長手方向で撓み変形し難いものとなる。
【００１５】
本発明の請求項３記載のケーブルラック用カバーは、上記請求項１又は２記載のケーブルラック用カバーにおいて、せき止め凸条の端縁とは反対側の側面をカバー本体の上面から略直角に立ち上がるよう形成したことを特徴としている。
【００１６】
したがって、この場合は特に、せき止め凸条の端縁とは反対側の側面がカバー本体の上面から略直角に立ち上がるよう形成されているので、同上面を端縁へと向かって流れる雨水は同せき止め凸条の直立状の側面で確実にせき止められ、ケーブルラック内への同雨水やゴミ等の侵入がより確実に防止される。
【００１７】
本発明の請求項４記載のケーブルラック用カバーは、上記請求項１〜３のいずれか一つに記載のケーブルラック用カバーにおいて、カバー本体の上板部を上方へ略逆Ｕ字状に屈曲させてせき止め凸条を突設したことを特徴としている。
【００１８】
したがって、この場合は特に、カバー本体の上板部を上方へ略逆Ｕ字状に屈曲させてせき止め凸条が突設されているので、このせき止め凸条の部分で同上板部は厚肉とならず、同カバー本体が軽量となってその材料コストも削減される。しかも、略逆Ｕ字状に屈曲したせき止め凸条の補強リブ作用によって、カバー本体は巾方向で撓み変形し難いものとなる。
【００１９】
本発明の請求項５記載のケーブルラック用カバーは、上記請求項４記載のケーブルラック用カバーにおいて、金属板で形成されるカバー本体の上板部にプレス加工を施してせき止め凸条を形成したことを特徴としている。
【００２０】
したがって、この場合は特に、金属板で形成されるカバー本体の上板部にプレス加工を施してせき止め凸条が形成されるので、このせき止め凸条は同カバー本体と共に簡単に成形され、このカバー本体の製造コストも低減される。
【００２１】
【発明の実施の形態】
図１〜９は、本発明の請求項１〜５全てに対応した第一の実施形態であるケーブルラック用カバーＡを示している。この実施形態のケーブルラック用カバーＡは、内部にケーブル１が通線支持されるケーブルラック２の上面開口に、このケーブルラック２の長手方向に複数並べられ相互に近接されるよう装着されて、同上面開口を塞ぐものである。このケーブルラック用カバーＡにおいて、ケーブルラック２の上面開口に装着されるカバー本体３の相互に長手方向で対向近接される端縁４付近で、このカバー本体３の平坦な上面３ａに同端縁４に沿って巾方向略全長にわたるせき止め凸条５を一体に突設し、このせき止め凸条５を同カバー本体３の両端縁４付近に配設している。
【００２２】
又、この実施形態のケーブルラック用カバーＡでは、カバー本体３を下方へ開口した偏平溝型に形成して、ケーブルラック２の上部外側に被され装着されるようになしており、しかも、せき止め凸条５の端縁４とは反対側の側面５ａを同カバー本体３の上面３ａから略直角に立ち上がるよう形成している。更に、カバー本体３の上板部６を上方へ略逆Ｕ字状に屈曲させてせき止め凸条５を突設し、この場合、金属板で形成される同カバー本体３の上板部６にプレス加工を施して同せき止め凸条５を形成してもいる。
【００２３】
以下、この実施形態のケーブルラック用カバーＡについて、より具体的に説明する。ケーブルラック用カバーＡの主体となるカバー本体３は、表面にエポキシ系の粉体塗料が塗布された鋼板、表面に溶融亜鉛メッキ処理が施された鋼板、ステンレス鋼板、等で、図２に示す如く、下方へ開口した偏平溝型に形成されている。そして、カバー本体３は上板部６とその両側で一体に垂下する側板部７とで形成され、同カバー本体３の上面３ａとなる上板部６の表面は平坦である。又、カバー本体３はプレス加工により偏平溝型に成形されるもので、その際、同カバー本体３の両端縁４付近に両せき止め凸条５が成形される。
【００２４】
せき止め凸条５はカバー本体３の端縁４に沿って巾方向略全長にわたって形成され、その長手両端部は略円弧状となっている。そして、せき止め凸条５の断面形状は下方へ開口した略逆Ｕ字状、ここでは、略コ字状に形成されることで、同せき止め凸条５の側面５ａ（両側面共）がカバー本体３の上面３ａから略直角に立ち上がって、その頂面は平坦状となっている。
【００２５】
他方、図４に示す如く、ケーブルラック２は梯子形状に形成されて、両側の桁部材８の下縁付近間に複数の桟部材９が架設固定されており、上面に開口したものとなる。そして、ケーブルラック２の内部で通線支持される複数本のケーブル１は、複数の桟部材９上に掛け渡すように載置（所謂、ころがし配線）されている。この場合、ケーブルラック２は梯子形状のものに限られず、上方へ開口した偏平溝型のものであってもよい。
【００２６】
そして、このケーブルラック用カバーＡは、ケーブルラック２の上面開口にその長手方向に複数並べられ相互に近接されるよう装着される。その際、図１、３に示す如く、カバー本体３の端縁４は相互に長手方向で対向近接されて、上下に重なることがない。それ故、一つのカバー本体３を隣接するカバー本体３で邪魔されることなく、簡単に取り外すことができて、ケーブルラック２内のメンテナンス作業は容易となる。
【００２７】
又、ケーブルラック２に装着されるケーブルラック用カバーＡは、図４、６に示す如く、その両側でクリップ具１０で挟持されることにより同ケーブルラック２に取付固定されるものである。図５に示す如く、クリップ具１０は略コ字型で、対向する両側片の一方にネジ孔１０ａが穿設され、このネジ孔１０ａに上方から螺合挿入される止めネジ１１を備えている。そして、クリップ具１０の下側片をケーブルラック２の桁部材８の下側に係合させると共に上側片をカバー本体３の上面３ａの上側に配置させて、この上側片のネジ孔１０ａに螺合される止めネジ１１を締め付けることにより、この止めネジ１１の先端が同上面３ａに当接圧止され、ケーブルラック用カバーＡは同ケーブルラック２に取付固定され、この取付固定作業が比較的簡単に行われる。
【００２８】
図７は、この実施形態のケーブルラック用カバーＡにおける別の取付固定状態を示している。ここでは、ケーブルラック２の上面開口に装着されるケーブルラック用カバーＡが、クランプ材１２とＬ型ボルト材１３及びナット１４とで同ケーブルラック２に取付固定される。その際、クランプ材１２をカバー本体３の上面３ａに当接架設すると共に桁部材８の下側にＬ型ボルト材１３のＬ字状に屈曲した下端部分を係合させ、このＬ型ボルト材１３の上端部分を同クランプ材１２の両端部分に挿通させて、同Ｌ型ボルト材１３の上端部分にナット１４を螺合させ、このナット１４を締め付けることにより、同クランプ材１２が同カバー本体３の上面３ａに当接圧止されて、ケーブルラック用カバーＡはケーブルラック２に取付固定される。
【００２９】
この場合、クランプ材１２をカバー本体３の両端縁４付近に位置決め配置しなくても、このカバー本体３の上面３ａを端縁４へと向かって流れる雨水は両せき止め凸条５でせき止められるので、この上面３ａの中程に同クランプ材１２を一つだけ配置して比較的簡単に取付固定作業を行うことができる。なお、ここで、取付固定をより確実なものとするために、クランプ材１２をカバー本体３の両端縁４付近のせき止め凸条５より内側に配置して取付固定してもよく、この場合には、このせき止め凸条５と同クランプ材１２とで二重にせき止めされて、ケーブルラック２内への雨水やゴミ等の侵入がより確実に防止される。
【００３０】
図９は、この実施形態のケーブルラック用カバーＡにおける更に別の取付固定状態を示している。ここでは、ケーブルラック２の両側において、クリップ材１５で同ケーブルラック２とケーブルラック用カバーＧとを挟持するものである。クリップ材１５は、図８に示す如く、弾性線材を屈曲形成してなり、このクリップ材１５をケーブルラック用カバーＡ及びケーブルラック２の両側部分に弾性的に挟着させて容易に着脱させることができる。
【００３１】
この場合、ケーブルラック用カバーＡの取付固定作業がより簡単となり、このケーブルラック用カバーＡのカバー本体３の上面３ａには雨水をせき止める部材が存在しなくなるものの、この上面３ａを端縁４へと向かって流れる同雨水は両せき止め凸条５でせき止められるので、ケーブルラック２内への雨水やゴミ等の侵入を確実に防止することができる。
【００３２】
したがって、この実施形態のケーブルラック用カバーＡにおいては、カバー本体３の相互に長手方向で対向近接される端縁４付近で、このカバー本体３の平坦な上面３ａに同端縁４に沿って巾方向略全長にわたるせき止め凸条５が一体に突設され、このせき止め凸条５は同カバー本体３の両端縁４付近に配設されているので、図１、３に示す如く、両せき止め凸条５により、同上面３ａを両端縁４へと向かって流れる雨水Ｗはせき止められ、この上面３ａから両側へと同せき止め凸条５でガイドされながら流下排水除去されて、同近接される端縁４間に生じた隙間に至らず、ケーブルラック２内への同雨水やゴミ等の侵入が確実に防止される。
【００３３】
しかも、この場合、せき止め凸条５の端縁４とは反対側の側面５ａがカバー本体３の上面３ａから略直角に立ち上がるよう形成されているので、同上面３ａを端縁４へと向かって流れる雨水Ｗは同せき止め凸条５の直立状の側面５ａで確実にせき止められ、ケーブルラック２内への同雨水Ｗやゴミ等の侵入をより確実に防止することができる。そして、図４〜６に示した取付固定状態、及び、図８、９に示した取付固定状態となる場合、カバー本体３の上面３ａに雨水をせき止める部材が存在しなくなるので、特に、有効となる。
【００３４】
又、この実施形態のケーブルラック用カバーＡにおいては、偏平溝型に形成されたカバー本体３がケーブルラック２の上部外側に被され装着されるので、両せき止め凸条５でせき止めされた雨水Ｗは同カバー本体３の上面３ａを両側へと流れて、その両側の側板部７の外側面を伝い同ケーブルラック２の外側へとスムーズに流下排水除去され、このケーブルラック２内への同雨水Ｗやゴミ等の侵入がより確実に防止され、しかも、同カバー本体３はその両側板部７による補強リブ作用によって、長手方向で撓み変形し難いものとなる。
【００３５】
更に、この実施形態のケーブルラック用カバーＡにおいては、カバー本体３の上板部６を上方へ略逆Ｕ字状（略コ字状）に屈曲させてせき止め凸条５が突設されているので、このせき止め凸条５の部分で同上板部６は厚肉とならず、同カバー本体３が軽量となってその材料コストも削減される。又、略逆Ｕ字状に屈曲したせき止め凸条５の補強リブ作用によって、カバー本体３は巾方向でも撓み変形し難いものとなる。しかも、この場合、金属板で形成されるカバー本体３の上板部６にプレス加工を施してせき止め凸条５が形成されるので、このせき止め凸条５は同カバー本体３と共に簡単にプレス成形され、このカバー本体３の製造コストも低減される。
【００３６】
図１０〜１３は、本発明の請求項１〜５全てに対応した第二乃至第五の実施形態であるケーブルラック用カバーＢ乃至Ｅを示している。図１０、１１に示すケーブルラック用カバーＢ、Ｃは、ケーブルラック２が略Ｌ字状に接続されている場合に、その接続部分での上面開口を塞ぐように装着されるものであり、ケーブルラック用カバーＢは円弧状に湾曲した形状で、ケーブルラック用カバーＣは直角状に屈曲した形状である。
【００３７】
又、図１２に示すケーブルラック用カバーＤは、ケーブルラック２が略Ｔ字状に接続されている場合に、その接続部分での上面開口を塞ぐように装着されるものであり、三つの端縁４に沿ってせき止め凸条５は配設されている。又、図１３に示すケーブルラック用カバーＥは、ケーブルラック２が略十字状に接続されている場合に、その接続部分での上面開口を塞ぐように装着されるものであり、四つの端縁４に沿ってせき止め凸条５は配設されている。なお、これ等、ケーブルラック用カバーＢ乃至Ｅにおいて、それ以外は、上記第一の実施形態と同様に構成され、同第一の実施形態におけると同様の作用効果が奏される。
【００３８】
図１４は、本発明の請求項１〜３に対応した第六の実施形態であるケーブルラック用カバーＦを示している。この実施形態のケーブルラック用カバーＦでは、カバー本体３の端縁４の部分において、その上板部６の先端縁が上方へ折曲形成されることによって、せき止め凸条５は同カバー本体３の上面３ａに突設されている。なお、それ以外は、上記第一の実施形態と同様に構成され、請求項４、５に係る以外の作用効果が同第一の実施形態におけると同様に奏される。又、本発明のケーブルラック用カバーでは、カバー本体３が金属板以外、例えば、耐候性に優れた合成樹脂材料でせき止め凸条５と一体に成形されてもよい。
【００３９】
【発明の効果】
上述の如く、本発明の請求項１記載のケーブルラック用カバーにおいては、両せき止め凸条によって、カバー本体の上面を両端縁へと向かって流れる雨水がせき止められ、この上面から両側へと流下排水除去されて、長手方向で対向近接される端縁間に生じた隙間には至らず、ケーブルラック内への同雨水やゴミ等の侵入を確実に防止することができる。
【００４０】
又、本発明の請求項２記載のケーブルラック用カバーにおいては、特に、両せき止め凸条でせき止めされた雨水が、カバー本体の両側の側板部の外側面を伝いケーブルラックの外側へとスムーズに流下排水除去されて、このケーブルラック内への同雨水やゴミ等の侵入はより確実に防止され、同カバー本体が長手方向で撓み変形し難いものともなる。
【００４１】
又、本発明の請求項３記載のケーブルラック用カバーにおいては、特に、カバー本体の上面を両端縁へと向かって流れる雨水が、せき止め凸条の直立状の側面で確実にせき止められて、ケーブルラック内への同雨水やゴミ等の侵入はより確実に防止される。
【００４２】
又、本発明の請求項４記載のケーブルラック用カバーにおいては、特に、カバー本体の上板部がせき止め凸条の部分で厚肉とならず、同カバー本体は軽量となってその材料コストも削減され、巾方向で撓み変形し難いものとなる。
【００４３】
又、本発明の請求項５記載のケーブルラック用カバーにおいては、特に、せき止め凸条が金属板でなるカバー本体と共にプレス加工で簡単に成形され、このカバー本体の製造コストも低減される。
【図面の簡単な説明】
【図１】本発明の第一の実施形態であるケーブルラック用カバーの装着並設状態を示す斜視図。
【図２】同ケーブルラック用カバーを示す（ａ）は平面図、（ｂ）は（ａ）におけるＸ−Ｘ断面図、（ｃ）は（ａ）におけるＹ−Ｙ断面図。
【図３】同ケーブルラック用カバーの並設状態を示す要部断面図。
【図４】同ケーブルラック用カバーの取付固定状態を示す斜視図。
【図５】同ケーブルラック用カバーの取付固定状態で使用されるクリップ具を示す斜視図。
【図６】同ケーブルラック用カバーの取付固定状態を示す要部断面図。
【図７】同ケーブルラック用カバーの異なる取付固定状態を示す分解斜視図。
【図８】同ケーブルラック用カバーの更に異なる取付固定状態で使用されるクリップ材を示す斜視図。
【図９】同ケーブルラック用カバーの取付固定状態を示す要部断面図。
【図１０】本発明の第二の実施形態であるケーブルラック用カバーを示す平面図。
【図１１】本発明の第三の実施形態であるケーブルラック用カバーを示す平面図。
【図１２】本発明の第四の実施形態であるケーブルラック用カバーを示す平面図。
【図１３】本発明の第五の実施形態であるケーブルラック用カバーを示す平面図。
【図１４】本発明の第六の実施形態であるケーブルラック用カバーの並設状態を示す要部断面図。
【図１５】従来例であるケーブルラック用カバーの取付固定状態を示す分解斜視図。
【図１６】同従来例であるケーブルラック用カバーの装着並設状態を示す斜視図。
【図１７】同従来例であるケーブルラック用カバーの異なる取付固定状態を示す要部断面図。
【符号の説明】
１  ケーブル
２  ケーブルラック
３  カバー本体
３ａ  上面
４  端縁
５  せき止め凸条
５ａ  側面
６  上板部
Ａ〜Ｇ  ケーブルラック用カバー
【図１】
2004173344.tif 000003
【図２】
2004173344.tif 000004
【図３】
2004173344.tif 000005
【図４】
2004173344.tif 000006
【図５】
2004173344.tif 000007
【図６】
2004173344.tif 000008
【図７】
2004173344.tif 000009
【図８】
2004173344.tif 000010
【図９】
2004173344.tif 000011
【図１０】
2004173344.tif 000012
【図１１】
2004173344.tif 000013
【図１２】
2004173344.tif 000014
【図１３】
2004173344.tif 000015
【図１４】
2004173344.tif 000016
【図１５】
2004173344.tif 000017
【図１６】
2004173344.tif 000018
【図１７】
2004173344.tif 000019